(57)【要約】【課題】設置環境に対応してユーザが設置時に行なう各種調整作業を極力簡素化する。【解決手段】画像を投影する光源ランプ38，カラーホイール39，ミラー40，空間的光変調素子36及び投影レンズ12と表示駆動部35を含む投影系と、この投影系により実行させた投影動作時の投影条件を記憶する投影条件記憶部43と、この投影条件記憶部43に記憶した投影条件に基づいて投影条件を再設定する制御部42とを備える。【選択図】      図３
2005328341.tif 000002
【特許請求の範囲】
【請求項１】
画像を投影する投影手段と、
この投影手段による投影動作時の複数の投影条件を調整する調整手段と、
この調整手段で投影動作時に調整された複数の投影条件を記憶する記憶手段と、
この記憶手段で記憶した投影条件に基づいて上記調整手段により複数の投影条件を一括して再設定する投影制御手段と
を具備したことを特徴とする投影装置。
【請求項２】
上記投影条件は、上記投影手段から投影対象までの投影距離、上記投影画像に対する台形補正情報、上記投影手段の投影画角、及び装置本体の設置姿勢角度のうちのいずれかを含むことを特徴とする請求項１記載の投影装置。
【請求項３】
上記記憶手段は、複数の投影位置に対応した投影条件をその識別情報と共に記憶し、
この記憶手段に記憶された複数の投影条件から１つをその識別情報に基づいて選択する選択手段をさらに具備し、
上記投影制御手段はこの選択手段で選択した投影条件に基づいて上記調整手段により複数の投影条件を一括して再設定する
ことを特徴とする請求項１記載の投影装置。
【請求項４】
上記識別情報を任意に入力する入力手段をさらに具備したことを特徴とする請求項３記載の投影装置。
【請求項５】
上記記憶手段に記憶した投影条件を装置外部に送信する送信手段をさらに具備したことを特徴とする請求項１記載の投影装置。
【請求項６】
装置外部から送られてくる投影条件を受信して上記記憶手段に記憶させる受信手段をさらに具備したことを特徴とする請求項１記載の投影装置。
【請求項７】
画像を投影する投影工程と、
この投影工程で投影動作時の複数の投影条件を調整する調整工程と、
この調整工程で投影動作時に調整された複数の投影条件を記憶する記憶工程と、
この記憶工程で記憶した投影条件に基づいて上記調整工程で複数の投影条件を一括して再設定させる投影制御工程と
を有したことを特徴とする投影条件設定方法。
【請求項８】
投影装置に内蔵されたコンピュータが実行するプログラムであって、
画像を投影する投影ステップと、
この投影ステップでの投影動作時に複数の投影条件を調整する調整ステップと、
この調整ステップで投影動作時に調整された複数の投影条件を記憶する記憶ステップと、
この記憶ステップで記憶した投影条件に基づいて上記調整工程で複数の投影条件を一括して再設定させる投影制御ステップと
をコンピュータに実行させることを特徴とするプログラム。
【発明の詳細な説明】
【技術分野】
【０００１】
本発明は、各種投影条件を調整可能な投影装置、投影条件設定方法及びプログラムに関する。
【背景技術】
【０００２】
従来、最適な設置条件を表示することにより、ユーザの設置作業を簡素化するようにしたプロジェクタ装置が考えられていた。（例えば、特許文献１）
【特許文献１】特開平０９−２４４１３８号公報
【発明の開示】
【発明が解決しようとする課題】
【０００３】
上記特許文献に記載された技術は、そのプロジェクタ装置単体の光学投影特性等から、適切と思われる各種の設置条件を表示するものであり、実際に使用される環境を考慮したものではない。
【０００４】
そして、プロジェクタ装置を実際に使用される環境下で適切に設置するためには、ユーザ自身がその都度各種の設置条件、具体的には設置位置、投影角度、投影（ズーム）画角、合焦位置等を個別に調整しなければならず、作業が非常に煩雑であった。
【０００５】
また、近年は自動合焦機能や自動台形補正機能等を搭載したプロジェクタ装置が商品化されているが、これらの機能はいずれも個々の要因についての調整を自動化したものに過ぎず、設置時に必要な作業すべてを一括して自動化するものではない。
【０００６】
本発明は上記のような実情に鑑みてなされたもので、その目的とするところは、設置環境に対応してユーザが設置時に行なう各種調整作業を簡素化することが可能な投影装置、投影条件設定方法及びプログラムを提供することにある。
【課題を解決するための手段】
【０００７】
請求項１記載の発明は、画像を投影する投影手段と、この投影手段による投影動作時の複数の投影条件を調整する調整手段と、この調整手段で投影動作時に調整された複数の投影条件を記憶する記憶手段と、この記憶手段で記憶した投影条件に基づいて上記調整手段により複数の投影条件を一括して再設定する投影制御手段とを具備したことを特徴とする。
【０００８】
請求項２記載の発明は、上記請求項１記載の発明において、上記投影条件は、上記投影手段から投影対象までの投影距離、上記投影画像に対する台形補正情報、上記投影手段の投影画角、及び装置本体の設置姿勢角度のうちのいずれかを含むことを特徴とする。
【０００９】
請求項３記載の発明は、上記請求項１記載の発明において、上記記憶手段は、複数の投影位置に対応した投影条件をその識別情報と共に記憶し、この記憶手段に記憶された複数の投影条件から１つをその識別情報に基づいて選択する選択手段をさらに具備し、上記投影制御手段はこの選択手段で選択した投影条件に基づいて上記調整手段により複数の投影条件を一括して再設定することを特徴とする。
【００１０】
請求項４記載の発明は、上記請求項３記載の発明において、上記識別情報を任意に入力する入力手段をさらに具備したことを特徴とする。
【００１１】
請求項５記載の発明は、上記請求項１記載の発明において、上記記憶手段に記憶した投影条件を装置外部に送信する送信手段をさらに具備したことを特徴とする。
【００１２】
請求項６記載の発明は、上記請求項１記載の発明において、装置外部から送られてくる投影条件を受信して上記記憶手段に記憶させる受信手段をさらに具備したことを特徴とする。
【００１３】
請求項７記載の発明は、画像を投影する投影工程と、この投影工程で投影動作時の複数の投影条件を調整する調整工程と、この調整工程で投影動作時に調整された複数の投影条件を記憶する記憶工程と、この記憶工程で記憶した投影条件に基づいて上記調整工程で複数の投影条件を一括して再設定させる投影制御工程とを有したことを特徴とする。
【００１４】
請求項８記載の発明は、投影装置に内蔵されたコンピュータが実行するプログラムであって、画像を投影する投影ステップと、この投影ステップでの投影動作時に複数の投影条件を調整する調整ステップと、この調整ステップで投影動作時に調整された複数の投影条件を記憶する記憶ステップと、この記憶ステップで記憶した投影条件に基づいて上記調整工程で複数の投影条件を一括して再設定させる投影制御ステップとをコンピュータに実行させることを特徴とする。
【発明の効果】
【００１５】
請求項１記載の発明によれば、投影した場所の投影条件を記憶しておき、同じ場所で２度目以降設置する際の投影条件を再設定により一括して自動化することができる。
【００１６】
請求項２記載の発明によれば、上記請求項１記載の発明の効果に加えて、具体的に自動合焦、自動台形補正、自動ズーム、及び自動脚長調整のうちのいずれかを自動化することができる。
【００１７】
請求項３記載の発明によれば、上記請求項１記載の発明の効果に加えて、複数の設置位置に対応した投影条件をその識別情報と共に記憶し、識別情報を選択指定することで対応する投影条件を再設定するようにしたので、複数の場所で装置を使い回す場合にもそれぞれの設置位置に対応して投影条件を再設定により一括して自動化することができる。
【００１８】
請求項４記載の発明によれば、上記請求項３記載の発明の効果に加えて、分かり易い識別情報を任意に入力可能としたことで、複数のユーザが装置を使用する場合でも即時必要な投影条件を選択でき、より使い勝手を向上できる。
【００１９】
請求項５記載の発明によれば、上記請求項１記載の発明の効果に加えて、得た投影条件をその装置のみならず他の装置にも送信して有効に活用させることができる。
【００２０】
請求項６記載の発明によれば、上記請求項１記載の発明の効果に加えて、他の装置から投影条件を受信して記憶することで、他の装置で得た投影条件を有効に活用して設置作業をより簡素化できる。
【００２１】
請求項７記載の発明によれば、投影した場所の投影条件を記憶しておき、同じ場所で２度目以降設置する際の投影条件を再設定により一括して自動化させることができる。
【００２２】
請求項８記載の発明によれば、投影した場所の投影条件を記憶しておき、同じ場所で２度目以降設置する際の投影条件を再設定により一括して自動化させることができる。
【発明を実施するための最良の形態】
【００２３】
以下本発明をプロジェクタ装置に適用した場合の実施の一形態について図面を参照して説明する。
【００２４】
図１は、同実施の形態に係るプロジェクタ装置１０の外観構成を示すもので、図１（Ａ）は主として筐体前面及び上面の、図１（Ｂ）は筐体背面及び下面のそれぞれ配置構成を示す。
【００２５】
図１（Ａ）に示すように、直方体状の本体ケーシング１１の前面に、投影レンズ１２、、測距センサ１３、及びＩｒ受信部１４が配設される。
【００２６】
投影レンズ１２は、後述するマイクロミラー素子等の空間的光変調素子で形成された光像をスクリーン等の対象に投影するためのものであり、ここでは合焦位置及びズーム位置（投影画角）を任意に可変できるものとする。
【００２７】
測距センサ１３は、２対の位相差センサの一方が水平方向、他方が垂直方向となるように互いに直交する方向に配置され、それぞれ被写体像に対する視差から三角測距の原理に基づいて所定の明暗パターンまでの距離を一次元的な検出ラインに沿って測定する。
【００２８】
Ｉｒ受信部１４、図示しないこのプロジェクタ装置１０のリモートコントローラからのキー操作信号が重畳された赤外光（Ｉｒ）信号を受信する。
【００２９】
また、本体ケーシング１１の上面には、表示部１５、キーボード部１６、スイッチ部１７、及びスピーカ１８が配設される。  
表示部１５は、バックライト付きのカラー液晶パネルで構成され、キーボード部１６で入力された内容や後述する投影条件、投影動作状態等を表示する。
【００３０】
キーボード部１６は、ＱＷＥＲＴＹ配列のタッチキーが配列されたフルキーボードでなり、ユーザが場所名や各種項目等を入力する。
【００３１】
スイッチ部１７は、図２に示すように電源キー１７ａ、ＡＦ（Ａｕｔｏｍａｔｉｃ  Ｆｏｃｕｓ：自動合焦）キー１７ｂ、ＡＫＳＣ（Ａｕｔｏｍａｔｉｃ  Ｋｅｙ−Ｓｔｏｎｅ  Ｃｏｒｒｅｃｔｉｏｎ：自動台形補正合焦）キー１７ｃ、ズームキー１７ｄ、転送キー１７ｅ、信号選択キー１７ｆ、設定表示キー１７ｇ、設定入力キー１７ｈ、設定記憶キー１７ｉ、及び自動設定キー１７ｊからなる。
【００３２】
電源キー１７ａは、プロジェクタ装置１０本体の電源のオン／オフを指示する。
【００３３】
ＡＦキー１７ｂは、上記測距センサ１３の駆動により投影対象となるスクリーンまでの距離を測定して合焦位置とさせる場合に操作する。
【００３４】
ＡＫＳＣキー１７ｃは、投影対象となるスクリーンの面に対して投影光軸が垂直となっておらず、本来矩形である投影画像が台形となって投影されてしまう場合にその補正を指示する。
【００３５】
ズームキー１７ｄは、スイッチ部１７中唯一のシーソー型のキースイッチで構成され、投影画角の広角化（ズームアップ（△））あるいは狭角化（ズームダウン（▽））を指示する。
【００３６】
転送キー１７ｅは、後述する投影条件ファイルの外部装置への転送及び外部装置からの転送入力を指示する
信号選択キー１７ｆは、入力される映像、音声の信号の選択を指示する。
【００３７】
設定表示キー１７ｇは、上記表示部１５に投影条件を構成する各種データの表示を指示する。
【００３８】
設定入力キー１７ｈは、投影条件に対応する場所名を入力して表示部１５に表示させる際に操作する。
【００３９】
設定記憶キー１７ｉは、投影条件を構成する各種データとそれに対応して入力された場所名とを投影条件のファイルとして記憶させることを指示する。
【００４０】
自動設定キー１７ｊは、すでに記憶されている投影条件ファイルにしたがって本体ケーシング１１の設置動作を自動設定させる際に操作する。
【００４１】
スピーカ１８は、入力された音声信号及び動作時のビープ音等を拡声放音する。
【００４２】
また、図１（Ｂ）に示すように本体ケーシング１１の背面には、入出力コネクタ部１９、Ｉｒ受信部２０、及びＡＣアダプタ接続部２１が配設される。  
入出力コネクタ部１９は、例えばパーソナルコンピュータ等の外部装置との接続のためのＵＳＢ端子、映像入力用のミニＤ−ＳＵＢ端子、Ｓ端子、及びＲＣＡ端子と、音声入力用のステレオミニ端子等からなる。
【００４３】
Ｉｒ受信部２０は、上記Ｉｒ受信部１４と同様に、図示しないリモートコントローラからのキー操作信号が重畳された赤外光（Ｉｒ）信号を受信する。  
ＡＣアダプタ接続部２１は、電源となる図示しないＡＣアダプタからのケーブルを接続する。
【００４４】
さらに、本体ケーシング１１の下面には、その四隅にそれぞれ高さ調節が可能な調整脚部２２ａ〜２２ｄが取り付けられる。これら調整脚部２２ａ，２２ｂ，２２ｃ，２２ｄはいずれも上記キーボード部１６でのキー操作によりその長さが調整される。
【００４５】
この図１（Ｂ）の状態では、前側に位置する一対の調整脚部２２ａ，２２ｂが共に若干長く調整されると共に、後側に位置する一対の調整脚部２２ｃ，２２ｄは最も短い状態に調整されている。
【００４６】
したがって、この状態のままのプロジェクタ装置１０を水平な場所に設置した場合、投影レンズ１２の投影光軸が投影レンズ１２の取付け面に対して垂直な方向であるとすれば、実際の投影レンズ１２の投影光軸は若干の仰角をもち、多少上側に向けて投影対象の図示しないスクリーンに出射されることとなる。
【００４７】
そのため、もし投影対象のスクリーンが鉛直方向に張設されるものとすれば、スクリーンの上端に近付くほど投影レンズ１２との距離が大きくなるので、自動台形補正を行なわない状態では、矩形の画像を投影した場合にスクリーン上では、上底の方が下底よりも長い台形の画像が投影表示されることとなる。
【００４８】
次に図２により上記プロジェクタ装置１０の電子回路の機能構成について説明する。図中、入出力コネクタ部１９より入力された各種規格の画像信号が、入出力インタフェース（Ｉ／Ｆ）３１、システムバスＳＢを介して画像変換部３２で所定のフォーマットの画像信号に統一された後に、表示エンコーダ３３へ送られる。
【００４９】
表示エンコーダ３３は、送られてきた画像信号をビデオＲＡＭ３４に展開記憶させた上でこのビデオＲＡＭ３４の記憶内容からビデオ信号を生成して表示駆動部３５に出力する。
【００５０】
この表示駆動部３５は、送られてきた画像信号に対応して適宜フレームレート、例えば３０［フレーム／秒］に従ったより高速な時分割駆動で空間的光変調素子（ＳＯＭ）３６を表示駆動するもので、この空間的光変調素子３６に対して、例えばリフレクタ３７内に配置された超高圧水銀灯等の光源ランプ３８が出射する高輝度の白色光をカラーホイール３９を介して適宜原色に着色し、ミラー４０を介して照射することで、その反射光で光像が形成され、上記投影レンズ１２を介してここでは図示しないスクリーンに投影表示される。
【００５１】
しかるに、上記投影レンズ１２はレンズモータ（Ｍ）４１に駆動されることでズーム位置及びフォーカス位置を適宜移動する。  
上記各回路のすべての動作制御を司るのが制御部４２である。この制御部４２は、ＣＰＵと、後述する投影条件の自動設定の処理を含む該ＣＰＵで実行される動作プログラムを記憶した不揮発性メモリ、及びワークメモリ、電源のオン／オフに関係なく現在時刻を計時し続けるＲＴＣ（Ｒｅａｌ  Ｔｉｍｅ  Ｃｌｏｃｋ）等により構成される。
【００５２】
この制御部４２にはまた、システムバスＳＢを介して投影条件記憶部４３、上記Ｉｒ受信部１４，２０、表示駆動部４４、脚駆動部４５、測距処理部４６、及び音声処理部４７が接続される。
【００５３】
投影条件記憶部４３は、例えばフラッシュメモリなどの不揮発性メモリでなり、上記スイッチ部１７の設定記憶キー１７ｉの操作に基づいて投影条件ファイルを複数記憶する。
【００５４】
表示駆動部４４は、制御部４２の制御に基づいて上記表示部１５を表示駆動し、投影条件のデータ等を表示させる。
【００５５】
脚駆動部４５は、上記制御部４２の制御の下に、上記本体ケーシング１１の下面に装着された上記調整脚部２２ａ〜２２ｄにそれぞれ接続された図示しない各モータを個別に回転駆動し、上記調整脚部２２ａ〜２２ｄの脚長を調整することで、設置されている本体ケーシング１１の姿勢を制御する。
【００５６】
測距処理部４６は、上記測距センサ１３を駆動して投影対象までの縦方向及び横方向の距離を測定する。
【００５７】
音声処理部４７は、ＰＣＭ音源等の音源回路を備え、投影表示動作時に与えられる音声データをアナログ化し、上記スピーカ１８を駆動して拡声放音させる。  
なお、上記スイッチ部１７とキーボード部１６における各キー操作信号は直接制御部４２に入力されるもので、上記Ｉｒ受信部１４及び本体ケーシング１１の背面側に設けられるＩｒ受信部２０での赤外光受信信号も制御部４２に入力される。
【００５８】
次に上記実施の形態の動作について説明する。  
図４は、投影動作の前準備として、プロジェクタ装置１０の本体ケーシング１１を設置した場所で電源をオンしてから投影条件を整えるまでの設置作業の内容を例示するもので、プロジェクタ装置１０内部での処理内容については上記制御部４２が予め記憶している動作プログラムに基づいて実行する。
【００５９】
しかして、その当初にはすでに記憶されている投影条件を使用せず、新規に設置作業を行なうか否かを判断する（ステップＡ０１）。
【００６０】
ここで、新規に設置作業を行なうと判断した場合には、まずキーボード部１６の所定キー、例えば「↑」「↓」キーにより上記脚駆動部４５で調整脚部２２ａ〜２２ｄの脚長を加減するよう手動操作して、スクリーンに投影される投影画像（何も表示されていない白画像）の高さ位置を調整する（ステップＡ０２）。
【００６１】
次に、上記スイッチ部１７のズームキー１７ｄの手動操作により適正な投影画角（ズーム倍率）となるように調整する（ステップＡ０３）。
【００６２】
その後、続けてスイッチ部１７のＡＦキー１７ｂとＡＫＳＣキー１７ｃとを操作することにより、合焦位置と台形補正とを制御部４２が自動的に実行し（ステップＡ０４，Ａ０５）、以上で投影条件の設定に関する一通りの作業を完了する。
【００６３】
ここで、この投影条件をファイル化して上記投影条件記憶部４３に記憶するか否かを選択設定するもので（ステップＡ０６）、記憶する場合には上記スイッチ部１７の設定入力キー１７ｈを操作する。
【００６４】
この設定入力キー１７ｈが操作されたことで、ステップＡ０６で投影条件を記憶するものと判断すると、次いで時点でその投影条件のデータに対応する場所名を入力する状態に遷移する（ステップＡ０７）。
【００６５】
図５は、この設定入力キー１７ｈの操作に対して表示部１５で表示される、設置場所の入力画面を例示するものであり、ここでは「設置位置」の情報として、投影距離、水平角度、垂直角度、及びズーム（Ｚｏｏｍ）倍率が表示される一方で、「設置場所」として場所名「本社会議室  Ａ」とその他の情報「営業会議」とが日時の情報と共に入力設定されている状態を示す。
【００６６】
ここで、日時の情報については、上述した如く制御部４２が内蔵する、電源の投入状態に関わりなく現在時刻を計時し続けるＲＴＣによっと自動的に入力設定されるものとする。
【００６７】
このように場所名、その他の入力を受付けながら、同時に入力設定を終了して入力された内容を記憶する指示がなされるのを待機するもので、これはスイッチ部１７の設定記憶キー１７ｉが操作されたか否かにより判断する（ステップＡ０８）。
【００６８】
しかして、ステップＡ０８で設定記憶キー１７ｉが操作され、投影条件のデータの記憶が指示されたと判断すると、上記図５に示したように「設置位置」の内容を投影条件として、「設置場所」及び日時の情報と共に投影条件記憶部４３に記憶設定し（ステップＡ０９）、以上でこの一連の投影条件の設定に関する処理を完了する。
【００６９】
以後は、必要に応じて通常の投影動作を適宜実行し、投影動作を終了した時点で電源をオフする。
【００７０】
なお、上記ステップＡ０６で設定入力キー１７ｈが操作されず、投影条件をファイル化して上記投影条件記憶部４３に記憶することはしないと判断した場合には、上記ステップＡ０７以下の処理は実行せずにそのままこの図４の処理を終了する。
【００７１】
後日、このプロジェクタ装置１０を上記図５で示した設置場所に再度設置する場合には、再び図４による処理を開始し、その電源をオンした後にスイッチ部１７の設定表示キー１７ｇを操作する。
【００７２】
この設定表示キー１７ｇの操作によりステップＡ０１で新規設置ではなく、過去に投影条件のファイルを記憶しているものと判断すると、投影条件記憶部４３に記憶されている投影条件のファイル名を日付と場所名、及びその他の情報と共に一覧表示した上で（ステップＡ１０）、そのいずれか１つが選択されるのを待機する（ステップＡ１１）。
【００７３】
図６は、この設定表示キー１７ｇの操作により表示部１５に表示される、過去にこのプロジェクタ装置１０を使用してその投影条件を記憶した場所の一覧表示の画面を例示するものである。
【００７４】
ここで、キーボード部１６の例えば「↑」「↓」キーの操作によりその設置場所を選択した状態で「Ｅｎｔｅｒ」キーを操作すると、ステップＡ１１でこれが判断され、投影条件記憶部４３から投影条件のファイルデータ一式が読出されて、プロジェクタ装置１０の各部の設定が自動的に実行される（ステップＡ１２）。
【００７５】
図７は、このとき表示部１５で表示される、場所名「本社会議室  Ａ」の投影条件の画面を例示するものである。同図に示す如く、画面の左側と中央では「設置場所」と「設置位置」に関する詳細な説明が表示される一方で、画面の右側では上記「設置位置」に基づくこのプロジェクタ装置１０と投影対象となるスクリーンとの関係が視覚的に表現されて、その内容の確認をユーザに促すものとなっている。
【００７６】
この状態で、さらにスイッチ部１７の自動設定キー１７ｊが操作されるか、またはキーボード部１６の「Ｅｓｃ」キーが操作されるかで投影条件の内容を確定するかどうかを判断する（ステップＡ１３）。
【００７７】
しかして、上記図７に示した表示画面の状態から自動設定キー１７ｊが操作されると、ステップＡ１３でこれを判断し、確認した投影条件の内容に基づいてプロジェクタ装置１０内の各部、具体的には脚駆動部４５により調整脚部２２ａ〜２２ｄの各脚長が、レンズモータ４１により投影レンズ１２でのズーム角度と合焦位置が、表示駆動部３５により空間的光変調素子３６で形成する画像の矩形範囲が、それぞれ設定され（ステップＡ１４）、以上で投影条件の自動設定を終えたものとして、この図４の処理を一旦終了する。
【００７８】
なお、上記ステップＡ１２で選択した投影条件を画面表示した状態からキーボード部１６の「Ｅｓｃ」キーが操作された場合には、ステップＡ１３でこれを判断して、上記ステップＡ１０の一覧表示の画面に戻るものとする。
【００７９】
このように、プロジェクタ装置１０を設置して投影動作を行なった場合には、その投影条件を随時投影条件記憶部４３に記憶させておけば、同じ場所で２度目以降設置する際の投影条件を再設定により一括して自動化することができ、設置作業を大幅に簡素化できる。
【００８０】
この場合、投影条件記憶部４３に記憶できる投影条件として、１箇所だけでなく複数箇所の設置位置に対応した投影条件をその識別情報と共に記憶し、識別情報を選択指定することで対応する投影条件を再設定するようにしたので、１台のプロジェクタ装置１０を複数の場所で使い回す場合にもそれぞれの設置位置に対応して投影条件を再設定により一括して自動化することができる。
【００８１】
その場合、比較的大型の画面を有する表示部１５とフルキーボードでなるキーボード部１６とを用い、ユーザが任意に設置場所名を識別名として入力可能とすることにより、複数のユーザが１台のプロジェクタ装置１０を使用する場合でも、即時必要な投影条件を選択することができ、無用の混乱を招くことなく、より使い勝手を向上できる。
【００８２】
なお、上記実施の形態では、１台のプロジェクタ装置１０で投影条件を内部の投影条件記憶部４３に記憶させ、この投影条件記憶部４３に記憶させた内容を当該プロジェクタ装置１０でのみ使用して、プロジェクタ装置１０の設置時の再設定を一括して自動化する場合について示したが、同一機種、あるいはデータファイルをある程度規格化することで他の機種間とで投影条件のデータファイルを適宜転送して共有化できるものとしてもよい。
【００８３】
図８はそのような本発明の実施の形態の他の動作例を例示するものであり、ここでは同一機種である２台のプロジェクタ装置１０，１０が例えばＵＳＢケーブルＣＡ１により有線接続され、投影条件のデータファイルを送受している場合を示している。
【００８４】
このように、同一機種間、あるいは他機種間でプロジェクタ装置の設置時に必要となる情報を共有化することで、投影条件の設定に要する手間をより簡素化することができる。
【００８５】
これは例えば、同一の会社内で使用される複数台のプロジェクタ装置に関して、各会議室等、プロジェクタ装置の設置される可能性のある場所１箇所につき最低１台がその投影条件を取得するものとすれば、すべての投影条件のデータファイルを共有することができ、再設定の際の手間をそれぞれ自動化することができ、煩雑な設置作業をほぼ無用とできるなど、そのメリットは非常に大きなものとなると考えられる。
【００８６】
また、単に複数のプロジェクタ装置間で投影条件のデータファイルを転送するだけではなく、他の外部装置、例えばこの種のプロジェクタ装置に接続してプレゼンテーション等を行なうパーソナルコンピュータ等との間でも投影条件のデータファイルを随時転送可能とすれば、より使い勝手を向上して、投影条件のデータファイルをより有効に活用することができる。
【００８７】
図９は、プロジェクタ装置１０とノートタイプのパーソナルコンピュータＰＣとをＲＧＢケーブルＣＡ２及びＵＳＢケーブルＣＡ１により接続した状態を例示するものである。
【００８８】
この場合、パーソナルコンピュータＰＣにインストールしてあるプレゼンテーション用のソフトウェアを実行し、ＲＧＢケーブルＣＡ２を介してプレゼンテーションの画像データをＲＧＢケーブルＣＡ２を介してプロジェクタ装置１０側に送信し、プロジェクタ装置１０により投影表示させる一方で、ＵＳＢケーブルＣＡ１を介してプロジェクタ装置１０とパーソナルコンピュータＰＣ間で投影条件のデータファイルを同時に送受することも可能となる。
【００８９】
したがって、プロジェクタ装置１０で取得した投影条件のデータファイルをＵＳＢケーブルＣＡ１を介してパーソナルコンピュータＰＣ側に転送することで、パーソナルコンピュータＰＣは他のプログラム装置を接続する場合にもその投影条件のデータファイルを活用することができる。
【００９０】
反対に、パーソナルコンピュータＰＣが記憶していた投影条件のデータファイルをＵＳＢケーブルＣＡ１を介してプロジェクタ装置１０に転送することで、他のプロジェクタ装置で取得した投影条件のデータファイルを用いてプロジェクタ装置１０の設置時の再設定を自動化することができるようにもなる。
【００９１】
なお、上記実施の形態にあっては、プロジェクタ装置１０が調整脚部２２ａ〜２２ｄの各脚長、投影レンズ１２の合焦位置とズーム角（投影画角）、及び空間的光変調素子３６で表示する矩形の光像による台形補正をすべて調整可能であるものとして説明したが、本発明はそれらすべてを調整可能としたプロジェクタ装置のみを対象とするものではなく、それらのうちの少なくとも２つの要因を一括して自動化できるものであれば、個々の要因の自動化を指示するキー操作を行なう場合に比して設置時の作業を簡素化できる点で、充分有用であるものと考える。
【００９２】
また、上記実施の形態では、投影光軸が、投影対象となるスクリーンの面に対する鉛直方向と投影光軸とがなす「ずれ角」を自動台形補正に必要な情報として記憶するものとして説明したが、そのような「ずれ角」を記憶して再設定を行なう毎に自動台形補正のための演算を行なうのではなく、自動台形補正で直接使用することが可能な補正値、すなわち矩形の画像をどの方向にどれだけの比率で歪めて空間的光変調素子３６で表示駆動すれば、結果的に正しい矩形で投影表示されるのかを示す数値を記憶するものとしてもよい。
【００９３】
その他、本発明は上記実施の形態に限らず、その要旨を逸脱しない範囲内で種々変形して実施することが可能であるものとする。
【００９４】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００９５】
【図１】本発明の実施の一形態に係るプロジェクタ装置の外観構成を示す斜視図。
【図２】同実施の形態に係る図１のスイッチ部の具体構成を例示する図。
【図３】同実施の形態に係る電子回路の機能構成を示すブロック図。
【図４】同実施の形態に係る投影条件設定に関する処理手順を示すフローチャート。
【図５】同実施の形態に係る設定入力キー操作時の表示画面を例示する図。
【図６】同実施の形態に係る設定表示キー操作時の表示画面を例示する図。
【図７】同実施の形態に係る設定表示キー操作時の表示画面を例示する図。
【図８】同実施の形態に係る他の動作例を示す図。
【図９】同実施の形態に係る他の動作例を示す図。
【符号の説明】
【００９６】
１０…プロジェクタ装置、１１…本体ケーシング、１２…投影レンズ、１３…測距センサ、１４…Ｉｒ受信部、１５…表示部、１６…キーボード部、１７…スイッチ部、１７ａ…電源キー、１７ｂ…ＡＦキー、１７ｃ…ＡＫＳＣキー、１７ｄ…ズームキー、１７ｅ…転送キー、１７ｆ…信号選択キー、１７ｇ…設定表示キー、１７ｈ…設定入力キー、１７ｉ…設定記憶キー、１７ｊ…自動設定キー、１８…スピーカ（ＳＰ）、１９…入出力コネクタ部、２０…Ｉｒ受信部、２１…ＡＣアダプタ接続部、２２ａ〜２２ｄ…調整脚部、３１…入出力インタフェース（Ｉ／Ｆ）、３２…画像変換部、３３…表示エンコーダ、３４…ビデオＲＡＭ、３５…表示駆動部、３６…空間的光変調素子、３７…リフレクタ、３８…光源ランプ、３９…カラーホイール、４０…ミラー、４１…レンズモータ（Ｍ）、４２…制御部、４３…投影条件記憶部、４４…表示駆動部、４５…脚駆動部、４６…測距処理部、４７…音声処理部、ＣＡ１…ＵＳＢケーブル、ＣＡ２…ＲＧＢケーブル、ＰＣ…パーソナルコンピュータ、ＳＢ…システムバス。
【図１】
2005328341.tif 000003
【図２】
2005328341.tif 000004
【図３】
2005328341.tif 000005
【図４】
2005328341.tif 000006
【図５】
2005328341.tif 000007
【図６】
2005328341.tif 000008
【図７】
2005328341.tif 000009
【図８】
2005328341.tif 000010
【図９】
2005328341.tif 000011